(57)【特許請求の範囲】
【請求項１】
プリーツ加工された濾材の表裏両面に、同濾材の折り山相互の間隔を保持するセパレータを所定間隔に設けたフィルタにおいて、前記セパレータが濾材の表裏において重なり合わないように交互に設けられていると共に、濾材の一方表面側の向かい合うセパレータ相互が接合していることを特徴とするフィルタ。
【請求項２】
前記濾材両面の向かい合うセパレータ相互が接合していることを特徴とする請求項１記載のフィルタ。
【請求項３】
前記セパレータがホットメルト樹脂よりなることを特徴とする請求項１または２記載のフィルタ。
【発明の詳細な説明】
【０００１】
【発明の属する技術分野】
本発明は、空気清浄機やカーエアコン、一般空調機などに用いられるフィルタに関する。詳細には濾材のセパレータの本数を半減することができてしかも、風圧に対し確実に折り山相互の間隔を保持できるようにしたフィルタに関する。
【０００２】
【従来の技術及び発明が解決しようとする課題】
従来、空気清浄機やカーエアコン、一般空調機などに用いられるフィルタ１には、図５に示すように、プリーツ加工された濾材２の表裏両面に、同濾材２の折り山相互の間隔を保持するセパレータ３を一定間隔に設けたものがある。
【０００３】
このフィルタ１は、濾材２の表裏両面にセパレータ３を前記濾材２の表裏において重なり合った状態に設けることで、濾材２の折り山相互の間隔を保持している。具体的にはホットメルト樹脂を濾材２の表裏両面に２０〜３０ｍｍの間隔で塗布することで、濾材２の表裏両面にセパレータ３を設けている。
【０００４】
このため、ホットメルト樹脂を塗布するノズルは、２９〜１９個／５９０ｍｍ幅となり、設備費、そのメンテナンスに要する費用はかなり高額なものとなっていた。また、２０〜３０ｍｍの間隔で濾材の表裏両面においてホットメルト樹脂が重なり合うように塗布していることから、セパレータを設けるには多量のホットメルト樹脂も必要としていた。
【０００５】
本発明は、このような事情に鑑みなされたものであり、濾材のセパレータの本数を半減することができてしかも、風圧に対し確実に折り山相互の間隔を保持できるようにしたフィルタを提供することを目的とするものである。
【０００６】
【課題を解決するための手段】
上記目的を達成するため、請求項１記載の発明は、プリーツ加工された濾材の表裏両面に、同濾材の折り山相互の間隔を保持するセパレータを所定間隔に設けたフィルタにおいて、前記セパレータが濾材の表裏において重なり合わないように交互に設けられていると共に、濾材の一方表面側の向かい合うセパレータ相互が接合していることを特徴とするフィルタをその要旨とした。
【０００７】
請求項２記載の発明は、濾材両面の向かい合うセパレータ相互が接合していることを特徴とするフィルタをその要旨とした。
【０００８】
請求項３記載の発明は、セパレータがホットメルト樹脂よりなることを特徴とするフィルタをその要旨とした。
【０００９】
【発明の実施の形態】
以下、本発明のフィルタについて、その実施の形態を図面に従い詳しく説明する。図１、図２及び図３に示すようにフィルタ１１は、プリーツ加工された濾材１２の表裏両面にセパレータ１４、１５を所定間隔に設けて、同濾材１２の折り山１３相互の間隔を保持するようにしたものである。
【００１０】
濾材１２は、折り加工後の形状が容易に崩れない程度の伸度と強度とを備えた不織布や紙などを素材としており、１層のみからなるもの、同一種の不織布や紙を複数枚積層して一体化したもの、あるいはバインダー接着型不織布とメルトブロー不織布とを積層一体化したもののように異なる種類の素材を積層したものなど、その構造は当該フィルタの大きさや用途に合わせて自由に設計することができる。
【００１１】
この濾材１２をプリーツ加工する方法としては、レシプロ方式、ロータリー方式などのプリーツ加工機によって濾材にジグザグ形状を付与したり、ジグザグ形状に成形された押型で濾材をプレスすることによって、当該濾材にジグザグ形状を付与するなど、従来より知られた方法を用いることができる。
【００１２】
セパレータ１４、１５は、ホットメルト樹脂や気体を混入して２〜４倍程度に発泡させた独立気泡型ホットメルト樹脂などの合成樹脂が適しており、これを濾材１２の折り目を横切るように連続線状に塗布することで設けることができる。尚、セパレータ１４、１５は、ホットメルト樹脂以外の合成樹脂を塗布することで設けることもできるし、合成樹脂成形体や紐など、従来よりセパレータとして用いられているものを適用することもできる。
【００１３】
このセパレータ１４、１５は、濾材１２の表裏において互いに重なり合わないように交互に設けられている。例えば図２及び図３では、濾材１２の一方表面側にセパレータ１４を所定の間隔で設けるとともに、濾材１２の他方表面側には、前記一方表面側に設けたセパレータ１４相互間のほぼ中央となる位置にセパレータ１５を所定の間隔で設けることで、濾材１２の表裏において互いに重なり合わないようになっている。
【００１４】
この場合、セパレータ１４またはセパレータ１５の相互の間隔は任意であるが、図面に示した態様では５０ｍｍ間隔とした。これは従来のフィルタにおけるセパレータ相互の間隔が２０〜３０ｍｍであることから、約２倍程度の間隔となっている。また、セパレータ１４の本数、太さなどについては、フィルタ１１の大きさや形状、用途、折り山の高さ、ピッチなどを考慮して適宜決定すればよい。
【００１５】
また、このフィルタ１１においては、図３に示すように濾材１２の一方表面側（空気流入側に配置する側）の向かい合うセパレータ１４相互が接合状態となっている。図面に示す態様では、濾材１２の一方表面側（空気流入側に配置する側）のセパレータ１４をホットメルト樹脂を塗布することで設けて、セパレータ１４相互の接合がなされている。尚、セパレータにホットメルト樹脂以外の合成樹脂を適用したり、合成樹脂成形体や紐などを用いたりした場合には、接着剤を介してセパレータ相互の接合を行えばよい。
【００１６】
このように、濾材１２の一方表面側（空気流入側に配置する側）の向かい合うセパレータ１４相互を接合状態とすることで、当該フィルタ１１の空気流入側における折り山１３相互の間隔は確実に保持されることになり、図４に示すように風圧が作用しても、空気流入側において濾材１２の折り山１３相互が大きく開いたりして接触が生じることがなく、フィルタ１１にデットスペースが発生することがない。
【００１７】
また、濾材１２の他方表面側（空気流出側に配置する側）の向かい合うセパレータ１５相互の接合は任意である。図面に示す態様では、濾材１２の他方表面側（空気流出側に配置する側）の向かい合うセパレータ１５相互は非接合状態となっている。この場合、図４に示すように、風圧が作用したとき、空気流入側において濾材１２の折り山１３相互は、セパレータ１４相互が接触状態となっている部分では開いたりしないものの、セパレータ１４とセパレータ１４の間では折り山１３相互が多少開いた状態となる。一方、空気流出側では空気流入側で風圧で最も開くセパレータ１４とセパレータ１４の中間部分に、セパレータ１５が配置されているため、濾材同志は接触しない。また、セパレータ１５とセパレータ１５の中間部分では、空気流入側でセパレータ１４相互が接合状態となっているので、濾材は開いた状態となる。このように空気流入側、流出側のいずれにおいても濾材は接触せず、折り山相互の間隔が保持されているので、デットスペースの発生といった不具合が生じることはない。
【００１８】
尚、濾材１２の他方表面側（空気流出側に配置する側）の向かい合うセパレータ１５相互も、一方表面側（空気流入側に配置する側）と同様に接合状態とすることもできる。この場合、濾材１２の表裏両面において向かい合うセパレータ１４、１５相互が各々接合し、濾材１２の折り山１３相互の間隔が保持されるようになるので、風圧に対しより安定なものとすることができる。
【００１９】
【発明の効果】
請求項１記載のフィルタは、セパレータが濾材の表裏において重なり合わないように交互に設けられていると共に、濾材の一方表面側の向かい合うセパレータ相互が接合していることから、濾材のセパレータの本数を半減することができて、しかも風圧に対し確実に折り山相互の間隔を保持できる。
【００２０】
特にホットメルト樹脂などの樹脂を塗布することで濾材にセパレータを設ける場合には、使用する樹脂量やノズルの本数を半減でき、当然のことながら設備費、そのメンテナンスに要する費用も大幅に削減することができる。
【００２１】
請求項２記載のフィルタは、濾材の表裏両面において向かい合うセパレータ相互が接合し、濾材の折り山相互の間隔が保持されるようになっているので、風圧に対しより安定なものとすることができる。
【００２２】
請求項３記載のフィルタは、セパレータがホットメルト樹脂よりなることから、
向かい合うセパレータ相互を接合するために接着剤を介したりする手間が不要であり、より簡易にフィルタの製造を行うことができる。
【図面の簡単な説明】
【図１】本発明のフィルタを示した斜視図。
【図２】本発明のフィルタを側方から見た要部拡大正面図。
【図３】本発明のフィルタを幅方向に切断した断面を模式的に示した要部拡大断面図。
【図４】同じく図３に示すフィルタに風圧を作用させたとき要部拡大断面図。
【図５】従来のフィルタを示した要部拡大正面図。
【符号の説明】
１２・・・濾材
１３・・・折り山
１４・・・セパレータ（空気流入側）
１５・・・セパレータ（空気流出側）
【図１】
0003674648.tif 000002
【図２】
0003674648.tif 000003
【図３】
0003674648.tif 000004
【図４】
0003674648.tif 000005
【図５】
0003674648.tif 000006